(57)【要約】【課題】  自走式肥料散布機において、肥料を筋状または条状散布ができ散布条間の変更や機体に対する散布条位置の変更が簡単にできる。【解決手段】  肥料攪拌繰出部を有した肥料ホッパーと、この肥料ホッパーの底部には肥料繰出口と、散布量を調節するシャッタ板を有し、この下方に肥料散布部を設けた自走式肥料散布機において、前記肥料散布部は、肥料ホッパー底部の肥料繰出口下方部に一方端を配してベルトコンベヤーを設け他方端より肥料を散布可能とし、また、ベルトコンベヤーは肥料繰出口下方近傍を支点として水平方向に回動自在に設けた。【選択図】      図１
2005198603.tif 000002
【特許請求の範囲】
【請求項１】
肥料を攪拌および繰出する肥料攪拌繰出部を有した肥料ホッパーと、この肥料ホッパーの底部には、肥料ホッパー内の肥料を散布部に供給する肥料繰出口と肥料散布量を調節するシャッタ板を有し、肥料繰出口下方には肥料散布部を設けた自走式肥料散布機において、前記肥料散布部は、肥料ホッパー底部の肥料繰出口下方部に一方端を配してベルトコンベヤーを設け、他方端より肥料を落下させ散布可能としたことを特徴とする自走式肥料散布機。
【請求項２】
請求項１記載の自走式肥料散布機において、前記肥料散布部のベルトコンベヤーは機体進行方向左右略対称に一対配置され、前記一対のベルトコンベヤーに対応する肥料ホッパー底部の肥料繰出口を一対設けて、それぞれの肥料繰出口下方近傍を支点としてそれぞれ水平方向に回動自在にベルトコンベヤーを設けたことを特徴とする自走式肥料散布機。
【請求項３】
請求項１〜２記載の自走式肥料散布機において、肥料繰出口の肥料散布量を調節するシャッター板は、左右それぞれ単独で開閉が可能であると供に、左右同時に開閉も可能に設けたことを特徴とする自走式肥料散布機。
【請求項４】
請求項１記載の自走式肥料散布において、肥料散布部のベルトコンベヤーを一つで構成し、機体進行方向左右略中央部の肥料繰出口下方近傍に回動支点を設け、ベルトコンベヤーを水平方向に回動自在に設けたことを特徴とする自走式肥料散布機。
【発明の詳細な説明】
【技術分野】
【０００１】
本発明は、自走式肥料散布機の散布部の構成に係るものであり、特に肥料を筋条または条状に散布する筋蒔き散布に係るものである。
【背景技術】
【０００２】
背景技術として、走行しながら肥料を散布する自走式肥料散布機においては、例えば「散布軸に固定された回転式散布板と、タンク台上に固定され、底面に肥料落とし口を有する肥料タンクと、この肥料タンク内で前記散布軸の回動に伴って回動する攪拌部材とを有する自走式肥料散布機において、前記肥料タンクの肥料落とし口は前記底面に広く形成された肥料落とし開口部であり、前記肥料落とし開口部の領域内に包含される領域の肥料落とし穴を有し、前記底面に下から重ね合わせられて前記攪拌部材の軸受の周りに回動可能の第１のシャッタ板と、第１のシャッタ板の前記肥料落とし穴と揃い合う肥料落とし穴を有し、第１のシャッタ板に下から重ね合わせられて前記軸受の周りに回動可能の第２のシャッタ板とを備えて成ることを特徴とする自走式肥料散布機」が公知である。（特許文献１）
【特許文献１】特開平７−２９８７４１号公報
【発明の開示】
【発明が解決しようとする課題】
【０００３】
前記従来技術における自走式肥料散布機は、散布方向や散布角度は変更可能であるが、肥料を広幅に拡散散布するように構成されているため、不必要な部分にも散布する無駄が生ずることがあり、近年過剰散布により作物に吸収されなかった残量成分の地下水への影響や余分肥料の流亡等による環境への影響が問題にされつつある。そこで本発明において、必要な量を必要な部分のみに散布する筋状または条状散布ができる自走式肥料散布機を提供する。
【課題を解決するための手段】
【０００４】
上記課題を解決するために、肥料を攪拌および繰出する肥料攪拌繰出部を有した肥料ホッパーと、この肥料ホッパーの底部には、肥料ホッパー内の肥料を散布部に供給する肥料繰出口と肥料散布量を調節するシャッタ板を有し、肥料繰出口下方には肥料散布部を設けた自走式肥料散布機において、前記肥料散布部は、肥料ホッパー底部の肥料繰出口下方部に一方端を配してベルトコンベヤーを設け、他方端より肥料を落下させ散布可能とした。又、ベルトコンベヤーは機体進行方向左右略対称に一対配置され、前記一対のベルトコンベヤーに対応する肥料ホッパー底部の肥料繰出口を一対設けて、それぞれの肥料繰出口下方近傍を支点としてそれぞれ水平方向に回動自在に設けてもよく、肥料繰出口の肥料散布量を調節するシャッター板は、左右それぞれ単独で開閉が可能であると供に、左右同時に開閉も可能に設けることにより片側散布，両側散布が可能となる。又、肥料散布部のベルトコンベヤーを一つで構成すると１条の筋状または条状散布となるが、より低コストで自走式肥料散布機を提供できる。
【発明の効果】
【０００５】
以上のような構成にすることにより、散布部のベルトコンベヤーの端部より散布された肥料は、機体進行方向に筋状または条状に散布され、ベルトコンベヤーを機体進行方向左右略対称に一対配置し、肥料繰出口下方近傍を支点として水平方向に回動自在に設けて両側へそれぞれ回動させると２条の筋状または条状散布となり、回動角度をそれぞれ変えることにより散布条間を変えることができる。また、肥料繰出口の肥料散布量を調節するシャッター板を左右それぞれ単独で開閉を可能にすることで、片側散布と両側散布が簡単に選択できる。
【０００６】
また、ベルトコンベヤーを一つに構成することで、より低コストで筋状または条状散布ができる肥料散布機を提供できる。このように筋状または条状散布することにより、必要な部分のみに肥料を散布できるため肥料の無駄な散布が行われず、局所的に大量に散布することも簡単にできる。
【発明を実施するための最良の形態】
【０００７】
以下、本発明の実施形態を図面に基づいて説明する。図１は本発明の実施を示す自走式肥料散布機の一部断面側面図、図２は同自走式肥料散布機の肥料ホッパー部と操作パネルの一部を省略した平面図、図３は同自走式肥料散布機の前方側面図、図４は同自走式肥料散布機の肥料繰出部の平面図、図５は同自走式肥料散布機の操作パネルの平面図、図６は同自走式肥料散布機の散布用ベルトコンベヤーを１つで構成した実施例の前方側面図、図７は同自走式肥料散布機の散布用ベルトコンベヤーを一つで構成した実施例の一部を省略した平面図、図８は同自走式肥料散布機の走行部を車輪で構成した実施例の一部断面側面図である。
【０００８】
自走台車１は、台車フレーム１０に動力を発生するエンジン１１と、エンジン１１の動力により作動する変速機１２と、変速機１２により駆動されるクローラ１３が機体両側に設けられて走行し、機体後方の運転者が操作するハンドル２６部には各操作レバーを配置した操作パネル２が設けてあり、変速レバー１２ａを操作して走行速度を選択することができる。
【０００９】
自走台車１に載せられた肥料ホッパー４の中には肥料攪拌繰出部４ａが設けられ、肥料ホッパー４の中に投入された肥料を攪拌混合し、肥料ホッパー４の底部に設けられた肥料繰出口４２へ肥料を繰出し散布部５０へ肥料を供給する。肥料攪拌繰出部４ａは、エンジン１１により駆動された油圧ポンプ３１の油圧により駆動される油圧モータ３２により駆動される。
【００１０】
シャッターレバー４１ａを操作するとシャッター操作ロット４１ｂに連結されたシャッター板４１が作動し、肥料ホッパー４の中の肥料が肥料ガイド板にガイドされベルトコンベヤー５に落下し、ベルトコンベヤー５の他方端より肥料は筋状または条状散布される。
【００１１】
ベルトコンベヤー５は電動モータ５１により駆動され、コンベヤサポートフレーム５５により支持されて、ベルトコンベヤー５を回動自在に設ける場合は、肥料繰出口下方近傍に設けられた回動ピン５６を支点として水平方向に回動自在に設けて、回動ロックピン５７によりベルトコンベヤー５の回動位置を固定する。
【００１２】
図２において、肥料ホッパー４の底部の肥料繰出口下方部にはベルトコンベヤー５が進行方向左右略対称に一対配置され、肥料繰出口下方近傍を支点としてそれぞれａ方向，ｂ方向に回動可能で、回動位置を変更することにより散布の条間Ｌを変更することができる。
【００１３】
ベルトコンベヤー５は、バッテリー１４の電源によって駆動する電動モータ５１に固着された駆動スプロケット５２から、ローラチェーン５４を介して従動スプロケット５３が駆動され作動し、肥料繰出口４２から供給された肥料はベルトコンベヤー５によって送られ、他方端より落下し筋状または条状散布される。
【００１４】
エンジン１１の動力は、エンジンプーリ１１ａからベルトで連結された油圧ポンプ３１のポンププーリ３１ａと、変速機１２の変速機入力プーリ１２ｂに伝達され、それぞれ駆動される。
【００１５】
図３は進行方向前方よりの側面図で、ベルトコンベヤー５をそれぞれ進行方向と直角にすると、肥料の散布条間は最大Ｌ１となる。また、肥料繰出口の肥料散布量を調節するシャッター板４1を左右それぞれ単独にシャッターレバー４１ａで開閉可能とすると、片側のシャッター板４１のみ開けることで、片側のみの散布が可能となる。
【００１６】
図４は肥料ホッパー４の底部の肥料繰出口部を示したもので、肥料繰出口４２はシャッター板４１により開閉が行われ、シャッターレバー４１ａと連結されたシャッター操作ロット４１ｂによりシャッター板４１は作動し、シャッター板４１の開き加減により肥料の散布量を調節することができ、肥料繰出口４２より繰出された肥料は、下方のベルトコンベヤー５に落下し搬送され筋状または条状散布が行われる。
【００１７】
図５はハンドル２６に取り付けられた運転操作用の操作パネル２の平面図を示したもので、メインスイッチ２１でエンジン１１を始動および停止可能に設けてあり、スロットルレバー２２でエンジン１１の回転数を制御する。メインスイッチ２１をＯＮにすると、ベルトコンベヤー５を駆動する電動モータ５１がコンベア駆動スイッチ２７をＯＮにすることで駆動することができる。
【００１８】
走行クラッチレバー２３をＯＮにすると、自走台車は走行し、操向レバー右２４ａを引くと右に旋回し、操向レバー左２４ｂを引くと左に旋回する。
【００１９】
２５は肥料攪拌繰出クラッチレバーで、ＯＮにすると油圧ポンプのバルブが開かれ、肥料ホッパー４の上部に設けられた油圧モータ３２が駆動し、肥料攪拌繰出部４ａが駆動される。シャッターレバー４１ａを操作することで、肥料繰出口４２のシャッター板４１を開閉し、肥料ホッパー４内の肥料をベルトコンベヤー５に落下させて散布することができる。
【００２０】
図６と図７は、本発明の肥料散布部５０のベルトコンベヤー５を一つで構成した場合の実施例を示したものであり、図６は進行方向前方よりの側面図で、図７は一部を省略してベルトコンベヤーの回動の様子を示した平面図である。ベルトコンベヤー５は回動ピン５６を支点として水平方向に回動可能であり、機体に対して左右方向の任意の位置に筋状または条状散布が可能である。
【００２１】
図７には、本発明の自走台車部の走行部が車輪１３ａで構成された場合の実施例を示したものであり、車輪は単輪又は複数輪で構成されていても良い。
【図面の簡単な説明】
【００２２】
【図１】本発明の実施を示す自走式肥料散布機の一部断面側面図
【図２】同自走式肥料散布機の肥料ホッパー部と操作パネルの一部を省略した平面図
【図３】同自走式肥料散布機の前方側面図
【図４】同自走式肥料散布機の肥料繰出部の平面図
【図５】同自走式肥料散布機の操作パネルの平面図
【図６】同自走式肥料散布機の散布用ベルトコンベヤーを１つで構成した実施例の前方側面図
【図７】同自走式肥料散布機の散布用ベルトコンベヤーを一つで構成した実施例の一部を省略した平面図
【図８】同自走式肥料散布機の走行部を車輪で構成した実施例の一部断面側面図
【符号の説明】
【００２３】
１      自走台車
１０    台車フレーム
１１    エンジン
１１ａ  エンジンプーリ
１２    変速機
１２ａ  変速レバー
１２ｂ  変速機入力プーリ
１３    クローラ
１３ａ  車輪
１４    バッテリー
２      操作パネル
２１    メインスイッチ
２２    スロットルレバー
２３    走行クラッチレバー
２４ａ  操向レバー右
２４ｂ  操向レバー左
２５    肥料攪拌繰出クラッチレバー
２６    ハンドル
２７    コンベヤー駆動スイッチ
３１    油圧ポンプ
３１ａ  ポンププーリ
３２    油圧モータ
４      肥料ホッパー
４ａ    肥料攪拌繰出部
４１    シャッター板
４１ａ  シャッターレバー
４１ｂ  シャッター操作ロット
４１ｃ  肥料ガイド板
４２    肥料繰出口
５      ベルトコンベヤー
５０    散布部
５１    電動モータ
５２    駆動スプロケット
５３    従動スプロケット
５４    ローラーチェーン
５５    コンベヤサポートフレーム
５６    回動ピン
５７    回動ロックピン
【図１】
2005198603.tif 000003
【図２】
2005198603.tif 000004
【図３】
2005198603.tif 000005
【図４】
2005198603.tif 000006
【図５】
2005198603.tif 000007
【図６】
2005198603.tif 000008
【図７】
2005198603.tif 000009
【図８】
2005198603.tif 000010